(57)【特許請求の範囲】
【請求項１】
開口を形成し、枠補強部材を備えた合成樹脂製の枠体と、
框補強部材を備えた合成樹脂製の框体を有し前記開口を閉塞可能な障子と、
前記障子を前記枠体に回動自在に連結する回動支持部材と、
前記開口が前記障子によって閉塞されている状態で、前記枠体と前記框体との間に配置され、前記框補強部材に固定された金属製の框側部材と、
前記框側部材の下に当該框側部材と上下方向において間隔を隔てて配置されて前記枠補強部材に固定され、前記障子が降下したときに、前記框側部材が載置される金属製の枠側部材と、
を有し、
前記回動支持部材は、前記枠体と前記框補強部材、または、前記枠補強部材と前記框体に固定されていることを特徴とする建具。
【請求項２】
請求項１に記載の建具であって、
前記枠側部材は、見込み方向において隣接し、前記障子が回動して前記開口を開く際に前記枠体の側から張り出す張出側に位置する張出側部と、前記枠体の側に位置する枠体側部とを有し、
前記張出側部は、前記張出側が前記枠体の側より高く形成されていることを特徴とする建具。
【請求項３】
請求項２に記載の建具であって、
前記張出側部は、傾斜または湾曲していることを特徴とする建具。
【請求項４】
請求項１乃至請求項３のいずれかに記載の建具であって、
前記回動支持部材は、前記枠補強部材と前記框体とに固定されていることを特徴とする建具。
【請求項５】
請求項４に記載の建具であって、
前記障子は、水平方向に間隔を隔てて並ぶ２つの前記框補強部材を有し、
前記回動支持部材は、前記２つの框補強部材が並ぶ方向と交差する方向であって、前記２つの框補強部材間に進入する固定部材により前記框体に固定されていることを特徴とする建具。
【発明の詳細な説明】
【技術分野】
【０００１】
本発明は、開口を形成する合成樹脂製の枠体に、合成樹脂製の框体を有して前記開口を閉塞可能な障子が回動自在に設けられた建具に関する。
【背景技術】
【０００２】
開口を形成する合成樹脂製の枠体に、合成樹脂製の框体を有して前記開口を閉塞可能な障子が回動自在に設けられた建具としては、枠体の左右の縦枠と障子の左右の縦框とにわたって取り付けたステイにより障子を枠体に開閉自在に支持する横すべり出し窓が知られている（例えば、特許文献１参照）。この横すべり出し窓は、ステイの障子側固定板を樹脂製の縦框にビスにより固着し、枠体側固定板を樹脂製の縦枠内に設けられた金属製の補強部材に縦枠を貫通するビスを螺合させて固着している。
【先行技術文献】
【特許文献】
【０００３】
【特許文献１】特開２０１４−１７３２７７号公報
【発明の概要】
【発明が解決しようとする課題】
【０００４】
上記のような横すべり出し窓は、ステイの障子側固定板を樹脂製の縦框に固着されているので、火災などにより建具が火炎に晒されると縦框が溶融される。縦框が溶融された場合には、固着しているビスが障子を支持することができずに障子が降下して外れてしまう虞があるという課題がある。
本発明は、かかる課題に鑑みてなされたものであり、その目的とするところは、火炎に晒されても障子が外れ難い建具を提供することにある。
【課題を解決するための手段】
【０００５】
かかる目的を達成するために本発明の建具は、開口を形成し、枠補強部材を備えた合成樹脂製の枠体と、框補強部材を備えた合成樹脂製の框体を有し前記開口を閉塞可能な障子と、前記障子を前記枠体に回動自在に連結する回動支持部材と、前記開口が前記障子によって閉塞されている状態で、前記枠体と前記框体との間に配置され、前記框補強部材に固定された金属製の框側部材と、前記框側部材の下に当該框側部材と上下方向において間隔を隔てて配置されて前記枠補強部材に固定され、前記障子が降下したときに、前記框側部材が載置される金属製の枠側部材と、を有し、前記回動支持部材は、前記枠体と前記框補強部材、または、前記枠補強部材と前記框体に固定されていることを特徴とする建具である。
【０００６】
このような建具は、枠体と框体との間に配置される回動支持部材が、枠体側または障子側のいずれか一方が合成樹脂製の枠体または框体のいずれかに固定されている状態で火炎に晒されると、枠体及び框体が溶融されることにより障子を支持することができずに障子が降下する。このとき、框補強部材に固定された金属製の框側部材が、障子の降下に伴い枠補強部材に固定された金属製の枠側部材上に載置されることにより障子が枠側部材に支持される。このため、建具が火炎に晒されたとしても障子が外れることを防止することが可能である。また、通常時は、枠側部材と框側部材とは間隔が隔てられているので、障子をスムーズに開閉することが可能である。
【０００７】
かかる建具であって、前記枠側部材は、見込み方向において隣接し、前記障子が回動して前記開口を開く際に前記枠体の側から張り出す張出側に位置する張出側部と、前記枠体の側に位置する枠体側部とを有し、前記張出側部は、前記枠体側部より高く形成されていることが望ましい。
【０００８】
このような建具によれば、枠側部材の、障子が開く際に枠体の側から張り出す張出側に位置する張出側部は、枠体側部より高く形成されているので、降下した障子が開くことを規制することが可能である。
【０００９】
かかる建具であって、前記張出側部は、傾斜または湾曲していることが望ましい。
このような建具によれば、張出側部は、傾斜または湾曲しているので、降下する障子を降下させつつ枠体側に引き寄せることが可能である。
【００１０】
かかる建具であって、前記回動支持部材は、前記枠補強部材と前記框体とに固定されていることが望ましい。
このような建具によれば、障子側の方が枠体側より火炎の熱を受けやすいので、早く溶融しやすい障子側を合成樹脂の框体に固定することにより、火炎に晒されたときにより早く障子を降下させて枠側部材により支持することが可能である。
【００１１】
かかる建具であって、前記障子は、水平方向に間隔を隔てて並ぶ２つの前記框補強部材を有し、前記回動支持部材は、前記２つの框補強部材が並ぶ方向と交差する方向であって、前記２つの框補強部材間に進入する固定部材により前記框体に固定されていることを特徴とすることが望ましい。
【００１２】
このような建具によれば、回動支持部材を框体に固定する固定部材は、水平方向に間隔を隔てて並ぶ２つの框補強材間に進入しているので、框体が溶融したときには、固定部材は２つの補強部材に案内されて降下する。このため、框側部材が枠側部材上に載置されるように２つの補強部材により案内させて確実に障子を支持することが可能である。
【発明の効果】
【００１３】
本発明によれば、火炎に晒されても障子が外れ難い建具を提供することが可能である。
【図面の簡単な説明】
【００１４】
【図１】本実施形態に係る建具を室内側から見た姿図である。
【図２】本実施形態に係る建具の縦断面図である。
【図３】本実施形態に係る建具におけるフリクションステイの取り付け部分を示す横断面図である。
【図４】本実施形態に係る建具における係合部材及び支持部材の配置を示す横断面図である。
【図５】障子が降下したときの係合部材と支持部材との係合状態を示す縦断面図である。
【図６】係合部材及び支持部材の変形例を示す図である。
【発明を実施するための形態】
【００１５】
本実施形態においては、建具として例えば図１〜図３に示すように、躯体２に固定された枠体３に障子４が回動自在に設けられているすべり出し窓用の建具１を例に挙げて説明する。尚、図２においては障子４及びフリクションステイ６の一部を省略して示している。
【００１６】
以下の説明においては、建物に設けられている状態の建具１を室内側から見たときに、上下となる方向を上下方向、左右となり建具１の幅となる方向を左右方向、室内外方向である奥行き方向を見込み方向とするとともに、矩形状をなす枠体３及び障子４が有する框体５において障子４の面内方向における内側を内周側、外側を外周側として示す。また、すべり出し窓用の建具１を構成する各部材及び各部位については、単体の状態であっても建具１が設けられている状態で上下方向、左右方向、見込み方向等となる方向、及び、枠体３、框体５の内周側、外周側にて方向を特定して説明する。
【００１７】
本実施形態の建具１は、４本の合成樹脂製の枠材３ａが互いの端部同士を突き合わせて溶着され開口３ｂを形成する矩形状の枠体３と、枠体３の内周側に配置された矩形状の框体５を備える障子４と、障子４を枠体３に回動自在に固定する回動支持部材としてのフリクションステイ６と、を有している。
【００１８】
枠体３を構成する４本の枠材３ａはいずれも同一の押出成形材であり、各枠材３ａには、閉じられた状態の障子４の外周側に位置させて長手方向に沿う枠中空部３ｃが設けられている。枠中空部３ｃ内には、金属製の枠補強部材７が長手方向に沿って設けられ、枠補強部材７は枠体３とともに躯体２に固定される金属製の枠固定部材８とビスにより接合されている。
【００１９】
障子４は、矩形状をなす框体５と、外周部が框体５の内周側に挿入されて当該框体５に保持される複層ガラス４ａと、を有している。框体５は、４本の合成樹脂製の框材５ａが互いの端部同士を突き合わせて溶着されて矩形状に形成されている。框体５を構成する４本の框材５ａはいずれも同一の押出成形材であり、各框材５ａには、複層ガラス４ａの外周側に位置させて長手方向に沿う第一框中空部５ｂと、第一框中空部５ｂと見込み方向に隣接する第二框中空部５ｃとが設けられている。
【００２０】
第一框中空部５ｂ内と第二框中空部５ｃ内には、それぞれ金属製の框補強部材９が長手方向に沿って設けられている。このため、縦の框材（以下、縦框という）５１内には、水平方向に間隔を隔てて並ぶ２つの框補強部材９が設けられている。
【００２１】
第一框中空部５ｂには、当該第一框中空部５ｂ内に配置される框補強部材９を第二框中空部５ｃ内の框補強部材９を見込み方向に間隔を隔てて配置するための空隙形成部５ｄが設けられている。このため、第一框中空部５ｂ内と第二框中空部５ｃ内とにそれぞれ設けられた框補強部材９は、第一框中空部５ｂと第二框中空部５ｃとの隔壁部分５ｅと空隙形成部５ｄとを見込み方向から挟むように配置されており、２つの框補強部材９の間には上下方向に沿って金属製の部材が存在しない領域が直線状に形成されている。
【００２２】
フリクションステイ６は、枠体３を構成し左右に位置する縦の枠材（以下、縦枠という）３１と、框体５を構成し左右に位置する縦框５１との間に配置され、障子４の上部側において、縦枠３１と縦框５１が面内方向に互いに対向する部位に固定されている。フリクションステイ６は、縦枠３１内の枠補強部材７にビス止めされる金属製の裏板６ａを介して枠体３側にビス１０により固定される枠固定部６ｂと、縦框５１の空隙形成部５ｄにビス１１により固定される框固定部６ｃと、枠固定部６ｂと框固定部６ｃとを連結するリンク機構でなるステイ本体部６ｄと、を有している。
【００２３】
框固定部６ｃを固定するビス１１は、縦框５１の空隙形成部５ｄに螺合されるので、第一框中空部５ｂ内と第二框中空部５ｃ内にそれぞれ設けられた框補強部材９の間を、見込み方向と交差する方向、すなわち障子４の面内方向に沿って空隙形成部５ｄを貫通している。すなわち、フリクションステイ６は、枠固定部６ｂが縦枠３１内に設けられた裏板６ａに金属製のビス１０により固定されており、裏板６ａは金属製のビスにより連結された枠補強部材７及び枠固定部材８を介して躯体２に固定され、框固定部６ｃは縦框５１にビス１１により直接固定されている。
【００２４】
フリクションステイ６により枠体３に取り付けられた障子４は、障子４の上端側に回動中心を有し、枠体３の下側に位置する横の枠材３ａに設けられたオペレータハンドル１２の操作により、回動中心が下方に移動しつつ障子４の下端側が室外側に張り出すことにより開放される。このため、本実施形態においては、室外側が張出側に相当し、室内側が枠体の側に相当する。
【００２５】
また、図２、図４に示すように、縦框５１にはフリクションステイ６より下側に、当該縦框５１と対向する縦枠３１側に突出する框側部材としての金属製の係合部材１３が框補強部材９に金属製のビス１２により固定されており、縦枠３１には係合部材１３の下方に間隔を隔てた位置に、当該縦枠３１と対向する縦框５１側に突出する枠側部材としての金属製の支持部材１４が枠補強部材７に金属製のビス１２により固定されている。
【００２６】
係合部材１３は、鋼板をＬ字状に折り曲げて形成されており、Ｌ字をなす一方の板部１３ａが縦框５１の、縦枠３１と対向する見込面５１ａに当接されて他方の板部１３ｂが縦枠３１側に突出するように框補強部材９にビス止めされている。
【００２７】
支持部材１４は、鋼板を折り曲げて形成されており、縦枠３１の、縦框５１と対向する見込面３１ａに当接される当接板部１４ａと、当接板部１４ａとほぼ直角に折り曲げられて略水平な面をなす枠体側部としての水平板部１４ｂと、支持部材１４が縦枠３１に取り付けられたときに室外側となる方向に水平板部１４ｂから延出されるとともに、室外側に向かって水平板部１４ｂより高くなるような傾斜面をなす張出側部としての傾斜板部１４ｃとを有している。すなわち、支持部材１４は水平板部１４ｂと傾斜板部１４ｃとが見込み方向において隣接している。
【００２８】
本実施形態の建具１が、火災等により火炎に晒された際には、合成樹脂製の枠体３及び框体５が、火炎の熱により溶融される。このとき、フリクションステイ６の枠固定部６ｂを枠体３側にて固定しているビス１０は裏板６ａを介して枠補強部材７に螺合されているので、合成樹脂製の枠体３が溶融されたとしてもフリクションステイ６は躯体２に固定された枠補強部材７に保持される。一方、フリクションステイ６の框固定部６ｃを框体５側にて固定しているビス１１は合成樹脂製の縦框５１に螺合されているので、縦框５１が溶融されると、ビス１１により障子４を支持することができなくなり障子４の自重により降下し始める。
【００２９】
このとき、縦框５１に設けられた係合部材１３は金属製の框補強部材９に金属製のビス１２により固定されているので、障子４の降下に伴って降下し、図５に示すように、係合部材１３の下方にて枠補強部材７に固定されて枠体３側に設けられた支持部材１４と係合する。これにより、障子４が支持部材１４に支持される。このため、建具１が火炎に晒されたとしても障子４が枠体３から外れることを防止することが可能である。また、通常時は、支持部材１４と係合部材１３とが上下方向に間隔が隔てられているので、障子４をスムーズに開閉することが可能である。
【００３０】
また、支持部材１４には、水平板部１４ｂより室外側（張出側）に、室外側に向かって水平板部１４ｂより高くなるような傾斜面をなす傾斜板部１４ｃが設けられているので、障子４が降下する場合には、降下しつつも室内側に引き寄せられる。これにより、障子４の下端が枠体３から離れる方向への移動が規制されるので、障子４が降下した場合であっても障子４が開くことを防止することが可能である。このとき、降下した障子４と枠体３との間に貫通口が形成されないことが望ましい。このため、通常時において係合部材１３の下縁と支持部材１４の水平板部１４ｂとの間隔Ｌ１を、障子４が閉じた状態で、框体５の上部に配置された横の框材５ａと、枠体３の上部に配置された横の枠材３ａとが見込み方向において重なる見付け幅Ｌ２より狭くすることにより、より高い耐火性を備えることが可能である。
【００３１】
また、フリクションステイ６を框体５に固定するビス１１は、水平方向に間隔を隔てて並ぶ２つの框補強部材９間に、障子４の面内方向に沿って進入しているので、框体５が溶融したときには、ビス１１は２つの框補強部材９に案内されて降下する。このため、係合部材１３が、その下方に設けられている支持部材１４上に載置されるように２つの框補強部材９により案内させて降下させ、障子４を支持部材１４にて確実に支持することが可能である。
【００３２】
上記実施形態においては、係合部材１３と支持部材１４とを互いに異なる形状の部材とした例について説明したが、これに限るものではない。例えば、図６に示すように、縦枠３１及び縦框５１の見込面に当接される固定部１５ａと、縦枠３１と縦框５１とが互いに対向する方向に折り曲げられて略鉛直な壁を形成する鉛直壁部１５ｂと、鉛直壁部１５ｂの上下の縁部から各々傾斜面を有する傾斜板部１５ｃを有する係合支持部材１５を、縦枠３１と縦框５１との互いに対向する部位に、上下方向に間隔を隔てて取り付けても構わない。この場合には、係合部材と支持部材とを同一の部材とすることができるので、コストを抑えることが可能である。
【００３３】
上記実施形態においては、支持部材１４において水平板部１４ｂより張出側に設けられている部位を、傾斜面を備える構成とした例について説明したが、これに限らず、例えば、室外側に向かって高くなる湾曲面を有する構成であっても構わない。また、水平板部１４ｂの屋外側の縁が鉛直方向に延出されていてもよい。
【００３４】
また、上記実施形態においては、フリクションステイ６の框固定部６ｃが合成樹脂製の框体５にビス１１により固定されている例について説明したが、これに限らず枠固定部６ｂが合成樹脂製の枠体３に直接ビス止めされ、框固定部６ｃが框補強部材９に固定されていても構わない。
【００３５】
また、上記実施形態においては、建具１を横すべり出し窓用の建具１としたが、これに限らず、縦すべり出し窓用の建具、内倒し窓用の建具、外倒し窓用の建具、突き出し窓用の建具、片開き窓用の建具など、枠体に回動支持部材を介して障子が回動自在に支持されている建具であれば構わない。
【００３６】
上記実施形態においては、枠補強部材及び框補強部材を金属製としたが、これに限らず、非金属製であっても、火炎に晒された際に支持部材が固定された状態を所定時間維持できる部材であれば構わない。すなわち、燃えることがない不燃性部材はもちろん、燃焼速度は遅いが、ある程度の時間は燃え続ける難燃性部材や炎に晒されたままの状態では燃えるが、炎を離せば消火する自己消火性部材であっても構わない。ここで、難燃性部材としては、例えば、炭化しながら徐々に燃焼が進む無垢材、集成材、中密度繊維材（ＭＤＦ）などの木質系材料や繊維強化プラスチックなどが挙げられ、自己消火性部材としては、例えば塩化ビニル樹脂やナイロンなどが挙げられる。
【００３７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３８】
１  建具、２  躯体、３  枠体、３ｂ  開口、４  障子、５  框体、
６  フリクションステイ、６ａ  裏板、６ｂ  枠固定部、６ｃ  框固定部、
７  枠補強部材、９  框補強部材、１１  ビス、１３  係合部材、１４  支持部材、
１４ｂ  水平板部、１４ｃ  傾斜板部、１５  係合支持部材
【図１】
0006509642.tif 000002
【図２】
0006509642.tif 000003
【図３】
0006509642.tif 000004
【図４】
0006509642.tif 000005
【図５】
0006509642.tif 000006
【図６】
0006509642.tif 000007